(57)【特許請求の範囲】
【請求項１】
パルスモータにより回転駆動されるリードスクリューを鉛直に支持し、該リードスクリューの両側対称位置にパチンコ球を一列にて整列状態で流下させる球移動樋を鉛直に形成し、該リードスクリューの回転に伴い該球移動樋中のパチンコ球が該リードスクリューのねじ山に支持されて下降することにより該パチンコ球が連続的に払い出されるようにした球払出装置であって、該球移動樋中の下流のパチンコ球が該ねじ山の後端縁による支持を失うときに同時に該球移動樋中の上流のパチンコ球が該ねじ山の先端縁により支持されるように、該ねじ山の実質的な巻長を１周未満なるようにすることで、１つの球移動樋について常時１個のパチンコ球が該ねじ山に支持されるようにしたことを特徴とするパチンコ遊技機における球払出装置。
【請求項２】
リードスクリューのねじ山のピッチを１１．５ｍｍ〜１２．５ｍｍに設定した請求項１に記載のパチンコ遊技機における球払出装置。
【発明の詳細な説明】
【０００１】
【発明の属する技術分野】
本発明はパルスモータによりリードスクリューを回転させることによってパチンコ球を払い出すパチンコ遊技機における球払出装置に関するものである。
【０００２】
【従来の技術】
パチンコ遊技機における球払出装置には、従来から種々の形態があり、パルスモータによりリードスクリューを回転させ、その回転数を制御することにより、所期の数のパチンコ球を払い出すように構成したものもそのうちの一つである。
【０００３】
ところで、この種のリードスクリュー型の球払出装置は、一般にパルスモータの回転軸に設けられたリードスクリューに沿ってパチンコ球を移動させるものであるので、その軸方向の長さ寸法が大きくならざるを得ないものであった。このためパチンコ遊技機の裏面における取付スペースを大きく占有するという問題があった。特に、リードスクリューから落下したパチンコ球を検出するため、球計数用センサをリードスクリューの下流に設けようとすると、そのスペースをもさらに必要とするので、一層取付スペースが足らなくなるものであった。
【０００４】
【発明が解決しようとする課題】
本発明は上記問題点を解消し、小型に構成し得るリードスクリュー型の球払出装置を提供し、パチンコ遊技機裏面の狭いスペースに常に容易に取付けられるようにするものである。
【０００５】
【課題を解決するための手段】
そのために本発明のパチンコ遊技機における球払出装置は、パルスモータにより回転駆動されるリードスクリューを鉛直に支持し、該リードスクリューの両側対称位置にパチンコ球を一列にて整列状態で流下させる球移動樋を鉛直に形成し、該リードスクリューの回転に伴い該球移動樋中のパチンコ球が該リードスクリューのねじ山に支持されて下降することにより該パチンコ球が連続的に払い出されるようにした球払出装置であって、該球移動樋中の下流のパチンコ球が該ねじ山の後端縁による支持を失うときに同時に該球移動樋中の上流のパチンコ球が該ねじ山の先端縁により支持されるように、該ねじ山の実質的な巻長を１周未満なるようにすることで、１つの球移動樋について常時１個のパチンコ球が該ねじ山に支持されるようにしたことを特徴とする。
また本発明は上記球払出装置において、リードスクリューのねじ山のピッチを１１．５ｍｍ〜１２．５ｍｍに設定したことを特徴とする。
【０００６】
【発明の実施の形態】
次に図面に従い本発明の実施形態を説明する。図１はこのパチンコ遊技機の裏面図で、１は景品球タンク、２は該景品球タンクから自重で流下し整流樋３を通過したパチンコ球が供給される球払出装置である。図２はこの球払出装置の拡大縦断面図、図３はそのＡ−Ａ線断面図、図４はＢ−Ｂ線断面図である。該球払出装置２は、プラスチック製のケース４にパルスモータ５がその回転軸６が鉛直下向きとなるように固設され、該回転軸６にリードスクリュー７が固着される。８ａ，８ｂは該リードスクリュー７に沿って両側に鉛直に形成された球移動樋、９ａ，９ｂは前記整流樋３を通過することによって一列に整列されたパチンコ球を該球移動樋８ａ，８ｂに導くためケース４内に屈曲状に形成された球導入筒である。なお、球移動樋８ａ，８ｂの下方は払出通路１０に連なるよう開口している。１７はリードスクリュー７の下端部を軸支するために形成された軸受部、１８はケース４に形成された取付片である。このため、パルスモータ５によりリードスクリュー７が矢印の方向に回転駆動されると該リードスクリューのねじ山１１に拘束されたパチンコ球ｂ１，ｂ２…が球移動樋８ａ，８ｂ中を移動し払出通路１０に連続的に払い出される。
【０００７】
しかして、リードスクリュー７は、図３に示されるように、そのねじ山１１の巻長が１周以下となるように形成される。即ち、図示したねじ山１１は先端縁１１ａに始まり後端縁１１ｂに終る巻回角度αが約３４０度のものである。ねじ山１１をこのような巻長に設定することにより、球移動樋中の下流のパチンコ球ｂ１が該ねじ山の後端縁１１ｂによる支持を失ったとき、上流のパチンコ球ｂ２が該ねじ山の少なくとも先端縁１１ａにより支持されるようにしている。なお、球移動樋８ａ，８ｂの内径はパチンコ球の移動（自由落下）に支障のないよう充分な遊びが得られるように、パチンコ球の直径より１ｍｍ程大径に形成されている。このため図３では、先端縁１１ａおよび後端縁１１ｂがパチンコ球ｂ１，ｂ２の円内に重なり合っているが、この遊びのために、下流のパチンコ球ｂ１は後端縁１１ｂによる支持が図３の状態にて失われ、上流のパチンコ球ｂ２が先端縁１１ａにより支持されるようになる。
【０００８】
また、該ねじ山１１のピッチｐはパチンコ球の直径（１０．５ｍｍ〜１１．５ｍｍ）よりも１ｍｍ程大きい１１．５ｍｍ〜１２．５ｍｍに設定される。こうして該リードスクリュー７の長さＬが最小限に抑えられる。なお、該ねじ山１１の外周縁は球詰まりが発生したとき等に手動で該リードスクリューを回転させる場合の滑り止めのために凹凸状に形成されている。
【０００９】
１２は投光器１３と受光器１４とからなる球計数用センサで、該球計数用センサはケース４の下端部近くに固着されたコ字形の取付枠１５に投光器１３と受光器１４を向かい合わせに取り付け、光軸１６が両球移動樋８ａ，８ｂを跨って過ぎり、リードスクリュー７のねじ山からの拘束を解かれた直後のパチンコ球が該光軸１６を遮ることにより、該パチンコ球が電気信号として検出され計数される。なお、このように１つの球計数用センサ１２で両球移動樋を流下するパチンコ球を検出することで、複数の感知器を設けるよりも製造コストが軽減される利点がある。また、リードスクリュー７のねじ山からの拘束を解かれた直後のパチンコ球を検出することで、両球移動樋８ａ，８ｂを交互に流下するパチンコ球が重なって光軸１６を遮断するおそれがなく検知ミスが防止されるとともに、検出遅れによるパルスモータの惰性回転等によりパチンコ球が余計に払い出されるようなおそれも解消される。
【００１０】
またこのように構成した球払出装置では、リードスクリュー７のねじ山１１の巻長を１周以下に設定することによって、球移動樋８ａ，８ｂ中のパチンコ球はねじ山１１による拘束時間を可及的に短くすることができるので、拘束を解かれた直後のパチンコ球を検出するべく球計数用センサ１２を設けても該球払出装置の全長Ｈが長くなることなく、取付スペースを従来より余計に占有するようになるようなことがない。また、このようにねじ山１１の巻長を短くしたことで、パチンコ球との摩擦も少なくなってパルスモータ５の負荷も軽減される。
【００１１】
なおこの実施形態では、リードスクリュー７を鉛直に設けた例を示したが、本発明はリードスクリュー７を水平、または傾斜状に設けた球払出装置に実施することもできる。
【００１２】
【発明の効果】
このように本発明に係るパチンコ遊技機の球払出装置は、リードスクリューのねじ山の巻長を１周以下とし、しかも球移動樋中の下流のパチンコ球が該ねじ山による支持を失ったとき、上流のパチンコ球が該ねじ山の少なくとも先端縁により支持されるように該ねじ山の巻長を設定したので、小型に構成でき、取付けスペース大きく占有することなく、パチンコ遊技機裏面の狭いスペースにも常に容易に取付けられるようにする効果がある。
【図面の簡単な説明】
【図１】本発明に係るパチンコ遊技機の裏面図。
【図２】本発明に係る球払出装置の実施形態を示す縦断面図。
【図３】図２のＡ−Ａ線断面図。
【図４】図２のＢ−Ｂ線断面図。
【符号の説明】
２              球払出装置
５              パルスモータ
７              リードスクリュー
８ａ，８ｂ      球移動樋
９ａ，９ｂ      球導入筒
１０            払出通路
１１            ねじ山
１１ａ          ねじ山の先端縁
１１ｂ          ねじ山の後端縁
１２            球計数用センサ
ｂ１，ｂ２…    パチンコ球
α              ねじ山の巻回角度
【図１】
0004418563.tif 000002
【図２】
0004418563.tif 000003
【図３】
0004418563.tif 000004
【図４】
0004418563.tif 000005